(57)【特許請求の範囲】
【請求項１】
キャビネット内の支柱に取り付けて使用されるケーブルホルダであって、
縦方向に配設したケーブルを収容するケーブル収容部が、帯状部材を螺旋状に折り曲げて形成され、
前記帯状部材は、前記支柱へ連結される連結部を一端に備えて連結手段により回転可能に連結される一方、前記連結部と前記帯状部材の他端とは上下に一定の距離を設けて配置され、
ケーブル保持状態から前記連結部を中心に前記帯状部材を一定角度回転することで、前記他端側にケーブル挿入空間を発生させるケーブル操作状態に移行し、
前記他端側に形成されたケーブル挿入空間から、ケーブルを前記ケーブル収容部に挿入可能としたことを特徴とするケーブルホルダ。
【請求項２】
前記連結部は前記支柱に密着する平坦な面を備えて、前記連結手段が挿入操作のみで係止する１つの合成樹脂製のリベットであることを特徴とする請求項１記載のケーブルホルダ。
【請求項３】
前記帯状部材の他端には、前記支柱に係止する係止突起が設けられて成る一方、前記支柱には前記係止突起を受ける係止凹部が設けられ、
前記ケーブル保持状態では、前記係止突起が前記係止凹部に係止して前記支柱に保持されることを特徴とする請求項１又は２記載のケーブルホルダ。
【発明の詳細な説明】
【技術分野】
【０００１】
本発明は、電子機器収納用キャビネットにおいてケーブル等の配線を保持するために取り付けられるケーブルホルダに関する。
【背景技術】
【０００２】
電子機器収納用キャビネットにおいて使用されるケーブルホルダとしては、特許文献１に開示されたものがある。これは、１本の線材を折り曲げて形成され、一端を支柱にねじ止めする一方、他端を開放してケーブル挿入口を形成し、途中にケーブルを保持する空間が設けられている。
【先行技術文献】
【特許文献】
【０００３】
【特許文献１】特開２００１−２２３４８３号公報
【発明の概要】
【発明が解決しようとする課題】
【０００４】
上記特許文献１のケーブルホルダは、ケーブル挿入口が収納機器側を向いていることでケーブルの挿入がし易かったし、抜け止め部を設けたことで挿入したケーブルが抜けを難しくできた。
しかしながら、抜け止め部を設けてもケーブルの挿入をし易くするためにケーブル挿入口を広くすると、収容したケーブルが抜け易くなるため広くすることが難しかった。そのため、挿入するケーブルが多い場合は挿入作業が容易ではなかった。また、ねじ止めしてキャビネットの支柱に個々に固定するため、取付作業が面倒であった。
【０００５】
そこで、本発明はこのような問題点に鑑み、ケーブルを収納し易く、またキャビネットの支柱への取り付けが容易なケーブルホルダを提供することを目的としている。
【課題を解決するための手段】
【０００６】
上記課題を解決する為に、請求項１の発明は、キャビネット内の支柱に取り付けて使用されるケーブルホルダであって、縦方向に配設したケーブルを収容するケーブル収容部が、帯状部材を螺旋状に折り曲げて形成され、帯状部材は、支柱へ連結される連結部を一端に備えて連結手段により回転可能に連結される一方、連結部と帯状部材の他端とは上下に一定の距離を設けて配置され、ケーブル保持状態から連結部を中心に帯状部材を一定角度回転することで、他端側にケーブル挿入空間を発生させるケーブル操作状態に移行し、他端側に形成されたケーブル挿入空間から、ケーブルをケーブル収容部に挿入可能としたことを特徴とする。
この構成によれば、ケーブル収容部を螺旋状に形成することで、連結部と開放した他端とが縦方向には離れているが平面的に接近しており、挿入されて縦方向に配設されたケーブルが抜け難い構造となる。そして、連結部と他端との間に設けられた一定の空間をケーブル挿入空間として使用でき、ケーブル挿入操作時はケーブルホルダを連結部を中心に回転させることで広い挿入空間を確保でき、ケーブルのスムーズな挿入が可能となる。
【０００７】
請求項２の発明は、請求項１に記載の構成において、連結部は支柱に密着する平坦な面を備えて、連結手段が挿入操作のみで係止する１つの合成樹脂製のリベットであることを特徴とする。
この構成によれば、連結部は支柱に密着する平坦な面を有するため、回転操作が容易であるし、面で密着するため１つのリベットで帯状部材を支柱に安定して連結でき、簡易な操作でケーブルホルダを装着できる。
【０００８】
請求項３の発明は、請求項１又は２に記載の構成において、帯状部材の他端には、支柱に係止する係止突起が設けられて成る一方、支柱には係止突起を受ける係止凹部が設けられ、ケーブル保持状態では、係止突起が係止凹部に係止して支柱に保持されることを特徴とする。
この構成によれば、支柱に連結した帯状部材をケーブル保持状態に配置すると、係止凹部に係止突起が係止するため、帯状部材の先端である他端は固定されるし、支柱との間の隙間も無くなる。よって、保持しているケーブルが抜け出る事がないし、帯状部材は安定した状態を維持する。
【発明の効果】
【０００９】
本発明によれば、ケーブル収容部を螺旋状に形成することで、連結部と開放した他端とが縦方向には離れているが平面的に接近しており、挿入されて縦方向に配設されたケーブルが抜け難い構造となる。そして、連結部と他端との間に設けられた一定の空間をケーブル挿入空間として使用でき、ケーブル挿入操作時はケーブルホルダを連結部を中心に回転させることで広い挿入空間を確保でき、ケーブルのスムーズな挿入が可能となる。
また、リベット１つで固定できるため、簡易な操作でケーブルホルダを装着できる。
【図面の簡単な説明】
【００１０】
【図１】本発明に係るケーブルホルダの一例を示し、キャビネットの支柱に取り付けた状態の斜視図である。
【図２】ケーブルホルダ単体を示し、（ａ）は左前方から見た斜視図、（ｂ）は右前方から見た斜視図である。
【図３】図２のケーブルホルダを示し、（ａ）は平面図、（ｂ）は左側面図、（ｃ）は正面図、（ｄ）は右側面図である。
【図４】ケーブルホルダとキャビネットを分離した説明図である。
【図５】ケーブルホルダを回転した状態を示し、ケーブルを挿入する際のケーブルホルダの状態を示している。
【図６】図５の状態でケーブルを挿入する説明図である。
【図７】キャビネットに装着してケーブルを保持した状態の斜視説明図である。
【図８】ケーブルを保持した状態のケーブルホルダの横断面説明図である。
【図９】電子機器収納用キャビネットの斜視図である。
【発明を実施するための形態】
【００１１】
以下、本発明を具体化した実施の形態を、図面を参照して詳細に説明する。図１は本発明に係るケーブルホルダの一例を示す斜視図であり、キャビネットに取り付けた状態を示している。図１において、１はケーブルホルダ、２はキャビネット内の支柱、３はケーブルホルダ１を支柱２に連結する連結手段としてのリベットであり、キャビネット内の左前方の支柱２に取り付けた状態を示している。また、図２，図３は図１に示すケーブルホルダ単体を示し、図２（ａ）は左前方（図１の角度）から見た斜視図、図２（ｂ）は右前方から見た斜視図、図３（ａ）は平面図、図３（ｂ）は左側面図、図３（ｃ）は正面図、図３（ｄ）は右側面図である。
尚、ケーブルホルダ１は、左側の支柱２と右側の支柱２とで形状が異なり、左右を反転した形状となる。
【００１２】
ケーブルホルダ１は帯状部材を折り曲げて形成され、ここでは、帯状鋼板により形成されている。一端に支柱２に連結される連結部１１、他端に支柱２に係止する係止突起１２を備え、途中略四角形を成す囲み部が形成され、ケーブル収容部Ｍが形成されている。連結部１１は、支柱２に密着する平坦な面を有し、ナイロン製のリベット３を挿通する透孔１１ａが設けられている。
【００１３】
ケーブル収容部Ｍは、図３（ａ）に示すように上方から見ると四角形に形成されているが、キャビネットに取り付けた状態で左側を向く１辺１３が傾斜形成され、全体で螺旋状に形成されている。この結果、平面的には両端は近い位置に配置されているが、図２等の斜視図で確認出来るように、両端の間にはケーブルを出し入れ出来る十分な間隔が設けられている。
【００１４】
一方、支柱２は図１に示すようにキャビネット前方を向く前面板２１と側方を向く側面板２２を有し、側面板２２にはリベット３を挿入する透孔２２ａ（図４に示す）が上下方向に一定間隔で穿設されている。また、前面板２１には透孔２２ａと対を成すように矩形の係止孔２１ａが一定間隔で穿設されている。
【００１５】
尚、図９はキャビネットの一例を示す斜視図であり、前面に設けられた扉３０ａを開けた状態を示している。図９では、左前側の１本の支柱２のみ見えているが、支柱２はキャビネット３０内の４隅に立設されており、それぞれが前面板２１及び側面板２２を備えて、ケーブルホルダ１を装着可能に形成されている。図１の支柱２は、この図９に示す左前側の支柱２を示し、側面板２２は前面板２１の左側に折り曲げ形成され、側板３０ｂと平行になるよう形成されている。
【００１６】
このように形成されたケーブルホルダ１は次のようにケーブルを保持する。図４〜図８を参照して説明する。図４は図１の状態からケーブルホルダ１を分離した説明図であり、この図４に示すように、ケーブルホルダ１は連結部１１に形成された透孔１１ａを介して支柱２の透孔２２ａにリベット３を挿入して連結される。そして、ケーブルを保持する所定の角度（ケーブル保持状態）に配置すると、ケーブルホルダ１の先端に形成された係止突起１２が図１に示すように係止孔２１ａに挿入されて保持される。
【００１７】
こうして、支柱２に取り付けたケーブルホルダ１に対してケーブルを挿入する場合、ケーブルホルダ１を回転操作してケーブル操作状態に移行操作し、ケーブル挿入空間Ｎを形成する。図５はケーブル操作状態を示し、図１の状態からケーブルホルダ１を矢印Ｐの方向へ約６０度回転してケーブル挿入空間Ｎを形成した状態を示している。また図６は、こうして形成したケーブル挿入空間Ｎから、ケーブル４の束をケーブル収容部Ｍに挿入する様子を示し、Ｈは作業者の手を示している。片方の手でケーブルホルダ１を持ち上げて回転操作し、他方の手で側方からケーブル４を挿入する様子を示している。
【００１８】
ケーブル４を挿入した後は、回転したケーブルホルダ１を元の角度に戻せば、係止突起１２が係止孔２１ａに挿入されて操作は終了となる。図７は、こうしてケーブル４を保持した状態の一例を示し、図１と同様の角度から見たケーブルホルダ１を示している。６はキャビネット３０に収納した電子機器を示している。
また、図８は図７の状態の支柱２の横断面説明図であり、ケーブル収容部Ｍにケーブル４が収容された状態を示している。
【００１９】
このように、ケーブル収容部Ｍを螺旋状に形成することで、連結部１１と開放した他端とが縦方向には離れているが平面的に接近しており、挿入されて縦方向に配設されたケーブル４が抜け難い構造となる。そして、連結部１１と他端との間に設けられた一定の空間をケーブル挿入空間Ｎとして使用でき、ケーブル挿入操作時はケーブルホルダ１を連結部１１を中心に回転させることで広い挿入空間を確保でき、ケーブルのスムーズな挿入が可能となる。
また、連結部１１は支柱２に密着する平坦な面を有するため、回転操作が容易であるし、面で密着するため１つのリベット３で帯状部材を支柱に安定して連結でき、簡易な操作でケーブルホルダ１を装着できる。
更に、支柱２に連結したケーブルホルダ１をケーブル保持状態に配置すると、係止孔２１ａに係止突起１２が係止するため、ケーブルホルダ１の先端である他端は固定されるし、支柱２との間の隙間も無くなる。よって、保持しているケーブル４が抜け出る事がないし、ケーブルホルダ１は安定した状態を維持する。
【００２０】
尚、上記実施形態では、ケーブルホルダ１を帯状鋼板で作製したが、合成樹脂製としても良い。合成樹脂製の場合は折り曲げる工程は無く成型して作製できるし、ケーブル収容部Ｍを四角形でなく略円形としても良い。
また、連結部１１の下方に係止突起１２を配置した形状としたが、上方に向けて螺旋を形成して、係止突起１２を連結部１１の上方に設けても良い。
更に、ケーブルホルダ１は、先端に支柱２へ挿入する係止突起１２を設けたが、帯状鋼板を使用して下に向けて螺旋状にケーブル収容部Ｍを設けた場合は、係止突起１２は無くても良く、ケーブルホルダ１の自重により安定したケーブル保持が可能である。
また、上述したように左右の支柱に取り付けるケーブルホルダ１は、左右が反転されて形成されたものが使用され、後部の支柱２に取り付けるケーブルホルダ１は対角線方向の支柱２に取り付けられるケーブルホルダ１と同一のものを使用できる。
【符号の説明】
【００２１】
１・・ケーブルホルダ、２・・支柱、３・・リベット、４・・ケーブル、１１・・連結部、１１ａ・・透孔、１２・・係止突起、２１ａ・・係止孔（係止凹部）、２２ａ・・透孔、３０・・キャビネット、Ｍ・・ケーブル収容部、Ｎ・・ケーブル挿入空間。
【図１】
0006325947.tif 000002
【図２】
0006325947.tif 000003
【図３】
0006325947.tif 000004
【図４】
0006325947.tif 000005
【図５】
0006325947.tif 000006
【図６】
0006325947.tif 000007
【図７】
0006325947.tif 000008
【図８】
0006325947.tif 000009
【図９】
0006325947.tif 000010